(57)【要約】【課題】ワイヤロープを損傷させることなく、ワイヤロープの交差部が安定して保持固定されるようにする。【解決手段】ワイヤロープ１１，１２の交差部は、同形状の受け座金１６と押さえ座金１７とによって両面側から挟み付けられる。受け座金１６には、第１のロープ溝２６と第２のロープ溝２８とが設けられている。また、押さえ座金１７にも、同様に第１のロープ溝２９と第２のロープ溝３１とが設けられている。ワイヤロープ１１，１２の交差部を間に挟んで受け座金１６に押さえ座金１７を重ね合わせると、ワイヤロープ１１は受け座金１６の第１のロープ溝２６と押さえ座金１７の第２のロープ溝３１との間で挟み付けられ、ワイヤロープ１２は押さえ座金１７の第１のロープ溝２９と受け座金１６の第２のロープ溝２８との間で挟み付けられる。各ロープ溝２６，２８，２９，３１の内面には、対応するワイヤロープ１１，１２のストランドｓ，ｓ…に沿うストランド溝２６ｓ，２８ｓ，２９ｓ，３１ｓが形成されている。【選択図】        図７
2004244946.tif 000002
【特許請求の範囲】
【請求項１】
互いに交差する２本のワイヤロープ（１１，１２）を、その交差部において相互に固定するためのワイヤロープ締結金具（１４，１５）であって、
連結用孔部（１８，１９；３４，３５）を有し、その連結用孔部（１８，１９；３４，３５）を利用して互いに締め付けることにより前記ワイヤロープ（１１，１２）の交差部を両面側から挟み付ける受け座金（１６，３２）と押さえ座金（１７，３３）とからなり、
それら受け座金（１６，３２）及び押さえ座金（１７，３３）の互いに対向する面（１６ａ，１７ａ；３２ａ，３３ａ）に、それぞれ前記ワイヤロープ（１１，１２）の一方（１１あるいは１２）を通す第１のロープ溝（２６，２９；３９，４１）が設けられるとともに、そのロープ溝（２６，２９；３９，４１）の内面に、当該ワイヤロープ（１１，１２）のストランド（ｓ）に沿うストランド溝（２６ｓ，２９ｓ；３９ｓ，４１ｓ）が形成されていることを特徴とする、ワイヤロープ締結金具。
【請求項２】
前記ストランド溝（２６ｓ，２９ｓ；３９ｓ，４１ｓ）が、前記ワイヤロープ（１１，１２）の交差位置において各ワイヤロープ（１１，１２）がそれぞれ２本のストランド（ｓ）を介して互いに接触するように形成されていることを特徴とする、請求項１記載のワイヤロープ締結金具。
【請求項３】
前記受け座金（１６）及び押さえ座金（１７）の各対向面（１６ａ，１７ａ）に、それら受け座金（１６）及び押さえ座金（１７）の他方に向かって突出する突起部（２７，３０）が設けられていることを特徴とする、請求項１又は２記載のワイヤロープ締結金具。
【請求項４】
前記受け座金（１６）の突起部（２７）と押さえ座金（１７）の突起部（３０）とが互いに係合するようにされていることを特徴とする、請求項３記載のワイヤロープ締結金具。
【請求項５】
前記突起部（２７，３０）の表面に、前記ワイヤロープ（１１，１２）の他方（１２あるいは１１）を通す第２のロープ溝（２８，３１）が設けられていることを特徴とする、請求項３又は４記載のワイヤロープ締結金具。
【請求項６】
前記連結用孔部（１８，１９）が前記受け座金（１６）及び押さえ座金（１７）の一端部に設けられるとともに、その反対側端部に、アンカーボルト（２４）挿通用の孔部（２０，２１）が設けられていることを特徴とする、請求項１ないし５のいずれか記載のワイヤロープ締結金具。
【請求項７】
前記受け座金（１６）及び押さえ座金（１７）が互いに同一形状であることを特徴とする、請求項１ないし６のいずれか記載のワイヤロープ締結金具。
【請求項８】
前記連結用孔部（３４，３５）が前記受け座金（３２）及び押さえ座金（３３）の一端部に設けられるとともに、その反対側端部に、それら受け座金（３２）及び押さえ座金（３３）を互いに係合させる係合部（３６，３７）が設けられていることを特徴とする、請求項１又は２記載のワイヤロープ締結金具。
【請求項９】
前記受け座金（３２）と押さえ座金（３３）とのいずれか一方（３２）に、前記ワイヤロープ（１１，１２）の他方（１２）を通す第２のロープ溝（４０）が、前記第１のロープ溝（３９）に対して段差を持って交差状に設けられるとともに、前記受け座金（３２）と押さえ座金（３３）との他方（３３）に、前記第１のロープ溝（３９）に挿入される突起（４２）が設けられていることを特徴とする、請求項８記載のワイヤロープ締結金具。
【発明の詳細な説明】
【０００１】
【発明の属する技術分野】
本発明は、交差する２本のワイヤロープを、その交差部において相互に固定するためのワイヤロープ締結金具に関するものである。
【０００２】
【従来の技術】
例えば、浮き石が点在する斜面では、落石を防止するために、多数のワイヤロープを縦横に張り巡らし、浮き石を押さえ込む、という落石防止工法が施工されることがある。その場合、縦横のワイヤロープは、その交差部において相互に固定される。
【０００３】
そのように交差するワイヤロープをその交差部において固定するためのワイヤロープ締結金具としては、特許文献１に記載されているようなクロスクリップが知られている。そのクロスクリップは、図１３に示すように、基板０１と、その基板０１に小間隔をおいて取り付けられる一対のＵボルト０２，０２と、そのＵボルト０２に螺合されるナット０３，０３…とからなり、例えば横方向のワイヤロープ０４を一対のＵボルト０２，０２間に配置するとともに、縦方向のワイヤロープ０５を、横方向のワイヤロープ０４上を通りかつＵボルト０２，０２内に挿通されるように配置して、そのワイヤロープ０５をＵボルト０２，０２により締め付けるようにしたものである。
【０００４】
また、上述のような落石防止工法においては、各ワイヤロープを、その交差部において相互に固定するのみでなく、その交差部を地面に固定することも必要となる。そのように各ワイヤロープを交差部において相互に固定するとともにその交差部を地面に対しても固定するワイヤロープ締結金具としては、特許文献２に記載されているようなクロスアンカークリップが知られている。そのクロスアンカークリップは、両端部に孔部を有する受け座金と押さえ座金とからなり、その受け座金と押さえ座金との間にワイヤロープの交差部を挟んで、一方の孔部にアンカーボルトの上端部を、また、他方の孔部にボルトを挿通させ、それぞれナットにより締め付けるようにしたものである。受け座金及び押さえ座金には、それぞれワイヤロープの一方を通すロープ溝が設けられる。
【０００５】
【特許文献１】
特開２０００−２７１２３号公報（第３ページ、図３）
【特許文献２】
特開２００１−２２６９６１号公報（第５ページ、図１３，１４）
【０００６】
【発明が解決しようとする課題】
しかしながら、特許文献１に示されているようなクロスクリップでは、図１３から明らかなように、上側に配置されるワイヤロープ０５が、Ｕボルト０２，０２によって締め付けられることにより下側のワイヤロープ０４の外周面に沿って強く湾曲するので、ワイヤロープ０５の素線が断線するという問題がある。
【０００７】
一方、特許文献２に示されているようなクロスアンカークリップでは、交差するワイヤロープが板状の受け座金と押さえ座金との間で挟み付けられるのみであるので、ワイヤロープの回転や滑りを防ぐことができず、その交差部の安定した保持固定がなされないという問題がある。受け座金と押さえ座金との締め付け力を強くすればよいが、そのようにすると、ワイヤロープがつぶれて損傷してしまう。
【０００８】
本発明は、上述のような事情に鑑みてなされたもので、ワイヤロープを損傷させることなく、ワイヤロープの交差部を安定して保持固定することのできる、ワイヤロープ締結金具を提供することを目的とするものである。
【０００９】
【課題を解決するための手段】
上記目的を達成するために、本請求項１記載の発明は、連結用孔部を有し、その連結用孔部を利用して互いに締め付けることによりワイヤロープの交差部を両面側から挟み付ける受け座金と押さえ座金とからなり、それら受け座金及び押さえ座金の互いに対向する面に、それぞれ前記ワイヤロープの一方を通す第１のロープ溝が設けられるとともに、そのロープ溝の内面に、当該ワイヤロープのストランドに沿うストランド溝が形成されていることを第１の特徴とする。
【００１０】
かかる第１の特徴によれば、受け座金及び押さえ座金にそれぞれ設けられるロープ溝の内面にストランド溝が形成されているので、そのロープ溝に通されるワイヤロープの回転や滑りが防止され、ワイヤロープが安定して保持固定されるようになる。その結果、ワイヤロープに加える締め付け力を強くする必要がなくなるので、ワイヤロープの損傷を防止することができる。
【００１１】
また、本請求項２記載の発明は、上記第１の特徴に加えて、前記ストランド溝が、前記ワイヤロープの交差位置において各ワイヤロープがそれぞれ２本のストランドを介して互いに接触するように形成されていることを第２の特徴とする。
【００１２】
かかる第２の特徴によれば、受け座金及び押さえ座金を介して２本のワイヤロープを互いに締め付けるとき、その締め付け力がそれぞれ２本のストランドに分散して伝えられるようになるので、各ワイヤロープに無理な力が加わることが防止される。したがって、ワイヤロープの寿命向上を図ることができる。
【００１３】
さらに、本請求項３記載の発明は、上記第１あるいは第２の特徴に加えて、前記受け座金及び押さえ座金の各対向面に、それら受け座金及び押さえ座金の他方に向かって突出する突起部が設けられていることを第３の特徴とする。
【００１４】
かかる第３の特徴によれば、受け座金と押さえ座金とを互いに締め付けるとき、たとえ過大な締め付け力を加えたとしても、受け座金及び押さえ座金にそれぞれ設けられている突起部が他方の座金に当接することによってそれ以上の締め付けが阻止されるので、ワイヤロープ同士の無理な接触が防止され、その損傷が防止される。
【００１５】
さらにまた、本請求項４記載の発明は、上記第３の特徴に加えて、前記受け座金の突起部と押さえ座金の突起部とが互いに係合するようにされていることを第４の特徴とする。
【００１６】
この第４の特徴によれば、受け座金と押さえ座金との相対回転やずれが防止されるので、ワイヤロープ交差部の保持固定がより確実となる。
【００１７】
また、本請求項５記載の発明は、上記第３あるいは第４の特徴に加えて、前記突起部の表面に、前記ワイヤロープの他方を通す第２のロープ溝が設けられていることを第５の特徴とする。
【００１８】
この第５の特徴によれば、交差するワイヤロープのいずれもが、受け座金と押さえ座金との両方によって挟み付けられるようになるので、その保持固定がより安定する。
【００１９】
さらに、本請求項６記載の発明は、上記第１ないし第５のいずれかの特徴に加えて、前記連結用孔部が前記受け座金及び押さえ座金の一端部に設けられるとともに、その反対側端部に、アンカーボルト挿通用の孔部が設けられていることを第６の特徴とする。
【００２０】
この第６の特徴によれば、そのワイヤロープ締結金具をアンカーボルトに取り付けることが可能となるので、ワイヤロープをその交差部において相互に固定するのみでなく、その交差部を地面に対しても固定することが可能となる。
【００２１】
さらにまた、本請求項７記載発明は、上記第１ないし第６のいずれかの特徴に加えて、前記受け座金及び押さえ座金が互いに同一形状であることを第７の特徴とする。
【００２２】
この第７の特徴によれば、受け座金と押さえ座金とを区別する必要がなくなるので、その製造コストを低減させるとともに、その組み付け作業性を向上させることができる。
【００２３】
そして、本請求項８記載の発明は、前記第１あるいは第２の特徴に加えて、前記連結用孔部が前記受け座金及び押さえ座金の一端部に設けられるとともに、その反対側端部に、それら受け座金及び押さえ座金を互いに係合させる係合部が設けられていることを第８の特徴とする。
【００２４】
この第８の特徴によれば、受け座金と押さえ座金とを組み付けるとき、その一方側の端部は単に係合させるのみでよくなるので、その組み付け作業が容易となる。
【００２５】
また、本請求項９記載の発明は、上記第８の特徴に加えて、前記受け座金と押さえ座金とのいずれか一方に、前記ワイヤロープの他方を通す第２のロープ溝が、前記第１のロープ溝に対して段差を持って交差状に設けられるとともに、前記受け座金と押さえ座金との他方に、前記第１のロープ溝に挿入される突起が設けられていることを第９の特徴とする。
【００２６】
この第９の特徴によれば、交差するワイヤロープのいずれもが、受け座金と押さえ座金との両方によって挟み付けられるようになるので、各ワイヤロープの保持固定がより安定するとともに、突起と第１のロープ溝との係合によって受け座金と押さえ座金との相対回転やずれが防止されるようになるので、ワイヤロープ交差部の保持固定もより確実となる。
【００２７】
【発明の実施の形態】
以下、本発明の実施の形態を、添付図面に示す本発明の実施例に基づいて説明する。
【００２８】
図中、図１〜１２は本発明によるワイヤロープ締結金具の実施例を示すもので、図１はそのワイヤロープ締結金具を用いて落石防止工法を施工した状態を示す平面図、図２は図１の２−２線に沿う断面図、図３は図２の矢印３方向から見たクロスアンカークリップ部分の拡大平面図、図４は図３の４−４線に沿う断面図、図５は図４の５−５線方向から見た受け座金の平面図、図６は図４の６−６線方向から見た押さえ座金の背面図、図７はそのクロスアンカークリップによりワイヤロープの交差部が固定される状態を示す斜視図、図８は図２の矢印８方向に見たクロスクリップ部分の拡大平面図、図９は図８の９−９線に沿う断面図、図１０は図８の１０−１０線に沿う断面図、図１１は図９の１１−１１線方向から見た受け座金の平面図、図１２は図９の１２−１２線方向から見た押さえ座金の背面図である。
【００２９】
図１及び２において、落石や崩壊が生ずるおそれのある傾斜した地面１０には、その表面に、多数のワイヤロープ１１，１１…；１２，１２…が縦横に張り巡らされる。各ワイヤロープ１１，１１…；１２，１２…は、数本おきに、その両端部が主アンカー１３，１３によって岩盤に固定される。また、その主アンカー１３によって固定された縦方向のワイヤロープ１１と横方向のワイヤロープ１２とは、その交差部において、クロスアンカークリップ１４により、相互に固定されるとともに地面１０にも固定される。一方、他のワイヤロープ１１，１１…；１２，１２…は、各交差部において、クロスクリップ１５，１５…により相互に固定される。これによって、縦横のワイヤロープ１１，１１…；１２，１２…からなるネットが形成され、浮き石が押さえ込まれて、落石や崩壊が防止される。ここで用いられるクロスアンカークリップ１４及びクロスクリップ１５が、本発明によるワイヤロープ締結金具の一例である。
【００３０】
図３〜７に示すように、クロスアンカークリップ１４は、受け座金１６と押さえ座金１７とにより構成されている。これら受け座金１６及び押さえ座金１７は鋳造によって成形された板状のもので、その間に縦方向のワイヤロープ１１と横方向のワイヤロープ１２との交差部を挟んで、互いに向かい合わせて重ねるようにして組み付けられる。
【００３１】
受け座金１６及び押さえ座金１７の一端部には連結用孔部１８，１９が、また、その反対側端部にはアンカー用孔部２０，２１が、それぞれ設けられている。それらの孔部１８，１９及び２０，２１はそれぞれ同径とされている。図４に示すように、連結用孔部１８，１９にはボルト２２が挿通され、そのボルト２２にナット２３が螺合される。また、アンカー用孔部２０，２１には、下端部が地中に深く挿入されて地面１０に固定されたアンカーボルト２４の上端部が挿通され、そのアンカーボルト２４にナット２５が螺合される。このようにして、ナット２３，２５をそれぞれ締め付けることによって受け座金１６と押さえ座金１７とが互いに締め付けられ、ワイヤロープ１１，１２の交差部が両面側から挟み付けられるようになっている。
【００３２】
図５に示すように、受け座金１６には、その押さえ座金１７に対向する面１６ａに、縦方向のワイヤロープ１１を通す第１のロープ溝２６が設けられている。そのロープ溝２６は、受け座金１６の中心Ｏを通り、孔部１８，２０の中心を結ぶ直線に対してほぼ４５°の角度をなす方向に延びるものとされている。また、その受け座金１６の対向面１６ａには、ロープ溝２６の両側に、押さえ座金１７側に向かって突出する突起部２７，２７が設けられている。各突起部２７，２７は、受け座金１６の中心Ｏに関して対称な形状で、孔部１８．２０の中心を結ぶ直線に平行な辺とその辺に直交する辺とを有し、その表面は平面とされている。そして、その突起部２７の表面に、横方向のワイヤロープ１２を通す第２のロープ溝２８が、第１のロープ溝２６に対して直交する方向に設けられている。
【００３３】
一方、図６に示すように、押さえ座金１７には、その受け座金１６に対向する面１７ａに、横方向のワイヤロープ１２を通す第１のロープ溝２９が設けられている。そのロープ溝２９は、押さえ座金１７の中心Ｏ′を通り、孔部１９，２１の中心を結ぶ直線に対してほぼ４５°の角度をなす方向に延びるものとされている。また、その押さえ座金１７の対向面１７ａには、ロープ溝２９の両側に、受け座金１６側に向かって突出する突起部３０，３０が設けられている。各突起部３０，３０は、押さえ座金１７の中心Ｏ′に関して対称な形状で、孔部１９，２１の中心を結ぶ直線に平行な辺とその辺に直交する辺とを有し、その表面は平面とされている。そして、その突起部３０の表面に、縦方向のワイヤロープ１１を通す第２のロープ溝３１が、第１のロープ溝２９に対して直交する方向に設けられている。
【００３４】
このようにして、受け座金１６と押さえ座金１７とを互いに向かい合わせて重ねたときには、それら受け座金１６の第１のロープ溝２６と押さえ座金１７の第２のロープ溝３１との間に縦方向のワイヤロープ１１が挟まれるとともに、押さえ座金１７の第１のロープ溝２９と受け座金１６の第２のロープ溝２８との間に横方向のワイヤロープ１２が挟まれて、受け座金１６及び押さえ座金１７の中心Ｏ，Ｏ′部分において各ワイヤロープ１１，１２が交差するようになっている。また、そのときには、受け座金１６の突起部２７，２７と押さえ座金１７の突起部３０，３０とがそれぞれ係合するようになっている。
【００３５】
ここで用いられているワイヤロープ１１，１２は、いずれも、数本〜数１０本の素線を撚り合わせて形成されたストランドｓを、３本、撚り合わせたものである。受け座金１６のロープ溝２６，２８及び押さえ座金１７のロープ溝２９，３１の各内面には、それぞれ対応するワイヤロープ１１，１２のストランドｓに沿うストランド溝２６ｓ，２８ｓ；２９ｓ，３１ｓが形成されている。受け座金１６の第１のロープ溝２６に形成されるストランド溝２６ｓは、その１本が受け座金１６の中心Ｏを通るようにされている。また、押さえ座金１７の第１のロープ溝２９に形成されるストランド溝２９ｓも、その１本が押さえ座金１７の中心Ｏ′を通るようにされている。したがって、各ワイヤロープ１１，１２を、そのストランドｓが各ストランド溝２６ｓ，２９ｓに沿うようにして第１のロープ溝２６，２９にそれぞれ嵌め込むと、図４に示すように、縦方向及び横方向のワイヤロープ１１，１２の交差位置、すなわち受け座金１６及び押さえ座金１７の中心Ｏ，Ｏ′部分では、各ワイヤロープ１１，１２がそれぞれ２本のストランドｓ，ｓ；ｓ，ｓを介して互いに接触することになる。
【００３６】
このような構成を有する受け座金１６と押さえ座金１７とは、全く同一の形状とされている。
【００３７】
図８〜１２に示すように、クロスクリップ１５も、受け座金３２と押さえ座金３３とにより構成されている。これら受け座金３２及び押さえ座金３３は鋳造によって成形された角柱状のもので、その間に縦方向のワイヤロープ１１と横方向のワイヤロープ１２との交差部を挟んで互いに重ね合わせるようにして組み付けられる。
【００３８】
受け座金３２及び押さえ座金３３の一端部には連結用孔部３４，３５が設けられている。受け座金３２の連結用孔部３４はねじ孔とされ、押さえ座金３３の連結用孔部３５はボルト挿通孔とされている。また、受け座金３２の反対側端部には、押さえ座金３３に対向する面３２ａから上方に突出する鉤状の係合部３６が設けられている。一方、押さえ座金３３の反対側端部には、その係合部３６に係合する爪状の係合部３７が設けられている。こうして、図９に示すように、受け座金３２の係合部３６と押さえ座金３３の係合部３７とを互いに係合させるとともに、押さえ座金３３の連結用孔部３５に挿通したボルト３８を受け座金３２の連結用孔部３４に螺合し、そのボルト３８を締め付けることによって、受け座金３２と押さえ座金３３とが互いに締め付けられ、ワイヤロープ１１，１２の交差部が両面側から挟み付けられるようになっている。
【００３９】
図１１に示すように、受け座金３２には、その押さえ座金３３に対向する面３２ａに、縦方向のワイヤロープ１１を通す第１のロープ溝３９が設けられている。そのロープ溝３９は、受け座金３２の中心Ｐを通り、受け座金３２の長手方向に対してほぼ４５°の角度をなす方向に延びるものとされている。さらに、その受け座金３２の対向面３２ａには、横方向のワイヤロープ１２を通す第２のロープ溝４０が、第１のロープ溝３９に対して直交する方向に設けられている。図１０に示すように、第１のロープ溝３９の深さは、ワイヤロープ１１の直径よりも十分に大きくされている。一方、第２のロープ溝４０の深さは、ワイヤロープ１２の半径よりも小さいものとされている。したがって、第１のロープ溝３９と第２のロープ溝４０とは、互いに段差を持って交差するようになっている。
【００４０】
ロープ溝３９の内面には、それぞれ対応するワイヤロープ１１のストランドｓに沿うストランド溝３９ｓ，が形成されている。第１のロープ溝３９に形成されるストランド溝３９ｓは、その１本が受け座金３２の中心Ｐを通るようにされている。
【００４１】
また、図１２に示すように、押さえ座金３３には、受け座金３２に対向する面３３ａに、横方向のワイヤロープ１２を通す第１のロープ溝４１が設けられている。そのロープ溝４１は、押さえ座金３３の中心Ｐ′を通り、押さえ座金３３の長手方向に対してほぼ４５°の角度をなす方向に延びるものとされている。さらに、その押さえ座金３３の対向面３３ａには、ロープ溝４１の両側に、受け座金３２側に向かって突出し、ロープ溝４１に直交する方向に延びる突起４２，４２が設けられている。その突起４２の幅は、受け座金３２に設けられている第１のロープ溝３９に嵌まり込む大きさとされている。
【００４２】
押さえ座金３３に設けられるロープ溝４１にも、その内面にストランド溝４１ｓが形成されている。そのストランド溝４１ｓは、横方向のワイヤロープ１２のストランドｓに沿うもので、その１本が押さえ座金３３の中心Ｐ′を通るようにされている。
【００４３】
このようにして、縦方向及び横方向のワイヤロープ１１，１２を、そのストランドｓが各座金３２，３３の第１のロープ溝３９，４１に設けられているストランド溝３９ｓ，４１ｓに沿うようにして第１のロープ溝３９，４１にそれぞれ嵌め込むと、図９に示すように、それらのワイヤロープ１１，１２の交差位置、すなわち受け座金３２及び押さえ座金３３の中心Ｐ，Ｐ′部分では、各ワイヤロープ１１，１２がそれぞれ２本のストランドｓ，ｓ；ｓ，ｓを介して互いに接触するようになっている。そして、その状態で受け座金３２と押さえ座金３３とを互いに向かい合わせて重ねたときには、図１０に示すように、受け座金３２の第１のロープ溝３９に押さえ座金３３の突起４２が挿入され、それらロープ溝３９と突起４２との間に縦方向のワイヤロープ１１が挟まれるとともに、押さえ座金３３の第１のロープ溝４１と受け座金３２の第２のロープ溝４０との間に横方向のワイヤロープ１２が挟まれるようになっている。
【００４４】
次に、このように構成されたワイヤロープ締結金具、すなわちクロスアンカークリップ１４及びクロスクリップ１５の作用について説明する。
【００４５】
クロスアンカークリップ１４によりワイヤロープ１１，１２の交差部を固定するときには、まず、地面１０に固定されているアンカーボルト２４の上端部に受け座金１６のアンカー用孔部２０を挿通させる。そして、その受け座金１６に設けられている第１のロープ溝２６に縦方向のワイヤロープ１１を沿わせるとともに、第２のロープ溝２８に横方向のワイヤロープ１２を沿わせる。その際、各ワイヤロープ１１，１２のストランドｓ，ｓ…を、各ロープ溝２６，２８に形成されているストランド溝２６ｓ，２８ｓに合致させるようにする。ワイヤロープ１１，１２のストランドｓとストランド溝２６ｓ，２８ｓとがずれているときには、ワイヤロープ１１，１２の位置をわずかに変えるか、ワイヤロープ１１，１２をわずかにねじればよい。次いで、その上に押さえ座金１７を重ね、アンカーボルト２４に押さえ座金１７のアンカー用孔部２１を挿通させるとともに、受け座金１６及び押さえ座金１７の連結用孔部１８，１９にボルト２２を挿通する。そのようにして押さえ座金１７の受け座金１６に対する位置決めを行うと、受け座金１６の中心Ｏと押さえ座金１７の中心Ｏ′とが一致し、ワイヤロープ１１，１２のストランドｓ，ｓは、押さえ座金１７のロープ溝２９，３１に形成されているストランド溝２９ｓ，３１ｓとも合致することになる。そこで、その状態でボルト２２及びアンカーボルト２４にそれぞれナット２３，２５を螺合して、それらを締め付ける。それによって、ワイヤロープ１１，１２の交差部が受け座金１６と押さえ座金１７とにより両面側から挟み付けられる。
【００４６】
この状態では、縦方向のワイヤロープ１１は受け座金１６の第１のロープ溝２６と押さえ座金１７の第２のロープ溝３１との各内面に面接触し、横方向のワイヤロープ１２は押さえ座金１７の第１のロープ溝２９と受け座金１６の第２のロープ溝２８との各内面に面接触する。したがって、それらのワイヤロープ１１，１２は確実に保持され、その回転や滑りが防止される。また、受け座金１６及び押さえ座金１７がアンカーボルト２４に固定されるので、それらの座金１６，１７に挟まれて相互に固定されたワイヤロープ１１，１２は地面１０に対しても固定されることになる。
【００４７】
そして、このようにワイヤロープ１１，１２は受け座金１６及び押さえ座金１７との面接触によって保持固定されるので、ワイヤロープ１１，１２同士を強く押し付け合う必要がない。また、ワイヤロープ１１，１２は、いずれも湾曲させることなくほぼ直線状に保たれる。したがって、ワイヤロープ１１，１２の素線の断線等による損傷が防止される。しかも、各ワイヤロープ１１，１２は、交差位置において２本のストランドｓ，ｓを介して互いに接触するようにされているので、受け座金１６及び押さえ座金１７により両面側からワイヤロープ１１，１２に伝えられる締め付け力は、その２本のストランドｓ，ｓに分散することになる。その結果、各ワイヤロープ１１，１２に無理な力が加わることが防止され、ワイヤロープ１１，１２の早期損傷が防止される。さらに、受け座金１６及び押さえ座金１７にはその対向面１６，１７から突出する突起部２７，３０が設けられているので、受け座金１６と押さえ座金１７とを誤って過大な力で締め付けたとしても、その突起部２７，３０が対向する座金１７，１６に当接することによってそれ以上の締め付けが阻止される。それによって、ワイヤロープ１１，１２同士の無理な接触が防止され、その損傷が防止される。
【００４８】
また、受け座金１６及び押さえ座金１７に設けられている突起部２７，３０が互いに係合するようにされているので、それらの座金１６，１７の組み付け時における位置合わせが容易となるとともに、受け座金１６と押さえ座金１７との相対回転やずれが防止され、ワイヤロープ１１，１２の交差部が確実に安定して保持固定されるようになる。
【００４９】
さらに、受け座金１６と押さえ座金１７とが互いに同一形状とされているので、その成形のための型は一つでよくなり、製造コストを低減させることができる。また、組み付け時に受け座金１６と押さえ座金１７とを区別する必要がなくなるので、その組み付け作業がより容易となる。
【００５０】
次に、クロスクリップ１５によりワイヤロープ１１，１２の交差部を固定するときには、まず、ワイヤロープ１１，１２の交差部の下方に受け座金３２を位置させ、その受け座金３２に設けられている第１のロープ溝３９に縦方向のワイヤロープ１１を嵌め込むとともに、第２のロープ溝４０に横方向のワイヤロープ１２を沿わせる。その際、クロスアンカークリップ１４の場合と同様にして、ワイヤロープ１１のストランドｓ，ｓ…を、ロープ溝３９に形成されているストランド溝３９ｓに合致させるようにする。次いで、その上に押さえ座金３３を重ね、受け座金３２の係合部３６に押さえ座金３３の係合部３７を係合させるとともに、押さえ座金３３の連結用孔部３５にボルト３８を挿通してそのボルト３８を受け座金３２の連結用孔部３４に螺合させる。そのようにして押さえ座金３３の受け座金３３に対する位置決めを行うと、受け座金３２の中心Ｐと押さえ座金３３の中心Ｐ′とが一致し、ワイヤロープ１１，１２のストランドｓ，ｓは、押さえ座金３３のロープ溝４１に形成されているストランド溝４１ｓとも合致することになる。そこで、その状態でボルト３８を締め付ける。
【００５１】
このようにすると、押さえ座金３３の対向面３３ａに設けられている突起４２が受け座金３２の対向面３２ａに設けられている第１のロープ溝３９に嵌まり込み、そのロープ溝３９内に通されている縦方向のワイヤロープ１１が押さえ座金３３の突起４２によって押さえ付けられるようになるので、縦方向のワイヤロープ１１は受け座金３２の第１のロープ溝３９の内面に押し付けられる。また、横方向のワイヤロープ１２は、受け座金３２に設けられている第２のロープ溝４０の内面と押さえ座金３３に設けられている第１のロープ溝４１の内面との間で挟み付けられる。そして、ロープ溝３９，４１の内面にはそれぞれストランド溝３９ｓ，４１ｓが形成されていることにより、縦方向のワイヤロープ１１は受け座金３２の第１のロープ溝３９の内面に面接触し、横方向のワイヤロープ１２は押さえ座金３３の第１のロープ溝４１と受け座金３２の第２のロープ溝４０との各内面に面接触することになる。したがって、それらのワイヤロープ１１，１２は確実に保持され、その回転や滑りが防止される。
【００５２】
このようにして、ワイヤロープ１１，１２の交差部は、受け座金３２と押さえ座金３３とにより両面側から挟み付けられ、それによって各ワイヤロープ１１，１２が相互に保持固定される。
【００５３】
そして、このクロスクリップ１５においても、クロスアンカークリップ１４の場合と同様に、ワイヤロープ１１，１２同士を強く押し付け合う必要がなく、また、ワイヤロープ１１，１２は、いずれも湾曲させることなくほぼ直線状に保たれるので、ワイヤロープ１１，１２の素線の断線等による損傷が防止される。しかも、各ワイヤロープ１１，１２は、交差位置において２本のストランドｓ，ｓを介して互いに接触するようにされているので、各ワイヤロープ１１，１２に無理な力が加わることが防止され、ワイヤロープ１１，１２の早期損傷が防止される。
【００５４】
また、組み付け時、押さえ座金３３に設けられている突起４２が受け座金３２に設けられている第１のロープ溝３９に挿入されるようにされているので、それらの座金３２，３３の組み付け時における位置合わせが容易となるとともに、突起４２と第１のロープ溝３９との係合によって受け座金３２と押さえ座金３３との相対回転やずれが防止され、ワイヤロープ１１，１２の交差部が確実に安定して保持固定されるようになる。
【００５５】
さらに、受け座金３２及び押さえ座金３３の一方側の端部は、単に係合部３６，３７を係合させるのみで連結されるようにされているので、クロスクリップ１５の組み付け時におけるねじ部材の締め付け作業を減らすことができる。したがって、その組み付け作業が容易となる。
【００５６】
以上、以上本発明の一実施例について説明したが、本発明はその実施例に限定されることなく、本発明の範囲内で種々の実施例が可能である。
【００５７】
例えば、ワイヤロープ１１，１２が９０°以外の角度で交差する場合にも、本発明を適用することができる。その場合には、受け座金１６，３２及び押さえ座金１７，３３に設けられるロープ溝２６，２８…がなす角度を、ワイヤロープ１１，１２の交差角度に応じて変えればよい。また、使用されるワイヤロープ１１，１２は３ストランドのものとは限らず、６ストランドや８ストランドのものが使用される場合にも、本発明を適用することができる。その場合には、そのストランド数に応じて、ロープ溝２６，２８…に形成されるストランド溝２６ｓ，２８ｓ…の数や形状などを変えればよい。さらに、クロスクリップ１５の受け座金３２と押さえ座金３３とは、その一部の構成、例えば係合部３６，３７やロープ溝３９と突起４２などを、反対側に設けるようにすることもできる。
【００５８】
【発明の効果】
以上のように、本請求項１記載の発明によれば、ワイヤロープを通すロープ溝の内面に当該ワイヤロープのストランドに沿うストランド溝を形成するようにしているので、ワイヤロープがロープ溝の内面に面接触するようになり、そのワイヤロープが安定して保持固定される。その結果、ワイヤロープに無理な力を加える必要がなくなるので、ワイヤロープの損傷を防止することができる。
【００５９】
また、本請求項２記載の発明によれば、交差するワイヤロープが、その交差位置においてそれぞれ２本のストランドを介して互いに接触するようになるので、ワイヤロープに加わる力が分散される。したがって、ワイヤロープの寿命向上を図ることができる。
【００６０】
さらに、本請求項３記載の発明によれば、受け座金及び押さえ座金の各対向面に突起部を設けるようにしているので、ワイヤロープに無理な力が加えられるおそれがなくなり、ワイヤロープの損傷をより確実に防止することができる。
【００６１】
さらにまた、本請求項４記載の発明によれば、受け座金及び押さえ座金の各対向面に設けられる突起部が互いに係合するので、受け座金と押さえ座金との相対回転やずれが防止されるようになる。したがって、組み付け時における受け座金と押さえ座金との位置決め作業を容易化するとともに、ワイヤロープ交差部の保持固定をより確実なものとすることができる。
【００６２】
また、本請求項５記載の発明によれば、突起部の表面にもロープ溝を設けるようにしているので、交差するワイヤロープを、それぞれ受け座金と押さえ座金との両方によって挟み付けることができる。したがって、ワイヤロープの保持固定をより安定化することができる。
【００６３】
さらに、本請求項６記載の発明によれば、受け座金及び押さえ座金をアンカーボルトに固定することが可能となるので、交差するワイヤロープを相互に固定するのみでなく、その交差部を地面に対しても固定することが可能となる。
【００６４】
さらにまた、本請求項７記載の発明によれば、受け座金と押さえ座金とを互いに同一形状のものとしているので、その製造コストを低減させるとともに、組み付け作業性を向上させることができる。
【００６５】
そして、本請求項８記載の発明によれば、受け座金及び押さえ座金の一方側の端部に、それら受け座金及び押さえ座金を互いに係合させる係合部を設けるようにしているので、受け座金と押さえ座金とを組み付けるとき、その一方側の端部は単に係合させるのみでよくなり、その組み付け作業を容易化することができる。
【００６６】
また、本請求項９記載の発明によれば、受け座金と押さえ座金とのいずれか一方に、ワイヤロープの他方を通す第２のロープ溝を設けるとともに、受け座金と押さえ座金との他方に、第１のロープ溝に挿入される突起を設けているので、交差するワイヤロープのいずれもが、受け座金と押さえ座金との両方によって挟み付けられるようになり、各ワイヤロープの保持固定をより安定化させることができるとともに、突起と第１のロープ溝との係合によって受け座金と押さえ座金との相対回転やずれが防止されるようになるので、ワイヤロープ交差部の保持固定もより確実化することができる。
【図面の簡単な説明】
【図１】本発明によるワイヤロープ締結金具を用いて落石防止工法を施工した状態を示す平面図
【図２】図１の２−２線に沿う断面図
【図３】図２の矢印３方向から見たクロスアンカークリップ部分の拡大平面図
【図４】図３の４−４線に沿う断面図
【図５】図４の５−５線方向から見た受け座金の平面図
【図６】図４の６−６線方向から見た押さえ座金の背面図
【図７】そのクロスアンカークリップによりワイヤロープの交差部が固定される状態を示す斜視図
【図８】図２の矢印８方向から見たクロスクリップ部分の拡大平面図
【図９】図８の９−９線に沿う断面図
【図１０】図８の１０−１０線に沿う断面図
【図１１】図９の１１−１１線方向から見た受け座金の平面図
【図１２】図９の１２−１２線方向から見た押さえ座金の背面図
【図１３】従来のワイヤロープ締結金具の一例としてのクロスクリップを示すもので、（ａ）は平面図、（ｂ）は（ａ）のｂ−ｂ線方向から見た側面図
【符号の説明】
１１      縦方向のワイヤロープ
１２      横方向のワイヤロープ
１４      クロスアンカークリップ（ワイヤロープ締結金具）
１５      クロスクリップ（ワイヤロープ締結金具）
１６      受け座金
１６ａ    対向面
１７      押さえ座金
１７ａ    対向面
１８      連結用孔部
１９      連結用孔部
２０      アンカー用孔部
２１      アンカー用孔部
２６      第１のロープ溝
２６ｓ    ストランド溝
２７      突起部
２８      第２のロープ溝
２８ｓ    ストランド溝
２９      第１のロープ溝
２９ｓ    ストランド溝
３０      突起部
３１      第２のロープ溝
３１ｓ    ストランド溝
３２      受け座金
３２ａ    対向面
３３      押さえ座金
３３ａ    対向面
３４      連結用孔部
３５      連結用孔部
３６      係合部
３７      係合部
３９      第１のロープ溝
３９ｓ    ストランド溝
４０      第２のロープ溝
４１      第１のロープ溝
４１ｓ    ストランド溝
４２      突起
ｓ        ストランド
【図１】
2004244946.tif 000003
【図２】
2004244946.tif 000004
【図３】
2004244946.tif 000005
【図４】
2004244946.tif 000006
【図５】
2004244946.tif 000007
【図６】
2004244946.tif 000008
【図７】
2004244946.tif 000009
【図８】
2004244946.tif 000010
【図９】
2004244946.tif 000011
【図１０】
2004244946.tif 000012
【図１１】
2004244946.tif 000013
【図１２】
2004244946.tif 000014
【図１３】
2004244946.tif 000015